(57)【要約】【課題】  ロードセルへの負荷が少なく、耐久性に優れたデジタル台はかりを提供する。【解決手段】  測定対象物が置かれる荷重台１と、荷重台１からの荷重を連結部３を介して伝達されるロードセル４と、測定対象物を荷重台１に乗降させる場合にはロードセル４への荷重の伝達を遮断し計量時にはロードセル４への荷重の伝達をすることができるロック式レバー７と、ロードセルからの荷重を表示できるデジタル表示計１１を備えたデジタル台はかり。【選択図】  図１
0003131497.tif 000002
【実用新案登録請求の範囲】
【請求項１】
測定対象物が置かれる荷重台と、荷重台からの荷重を懸架フックを介して伝達されるロードセルと、測定対象物を荷重台に乗降させる場合にはロードセルへの荷重の伝達を遮断し、計量時にはロードセルへの荷重の伝達をすることができるロック式レバーと、ロードセルからの荷重を表示できるデジタル表示計を備えたデジタル台はかり。
【請求項２】
ロードセルからの荷重を測定できるサオおよび重り台のついた実用新案登録請求の範囲第１項記載のデジタル台はかり。
【請求項３】
サオおよび重り台によって計量する構成の看貫に、ロードセルおよびデジタル表示計を設けることにより改造されて得られる実用新案登録請求の範囲第２項記載のデジタル台はかり。
【考案の詳細な説明】
【考案の詳細な説明】
【０００１】
【技術分野】
【０００２】
本考案は、例えば化学製品、食品、肥料などの製造現場において好適に使用されるデジタル台はかりに関するものである。
【背景技術】
【０００３】
従来、化学製品、食品、肥料などの製造現場において使用されているデジタル台はかりとしては、非特許文献−１に開示されているような、荷重台の端に支持柱を介してデジタル表示計を有する構成のデジタル台はかりが知られている。
【非特許文献−１】株式会社エー・アンド・デイ「天びん・台はかり・分析機器」パンフレット  ｐ１９〜２５記載の防塵・防水デジタル台はかり（２００５年１２月発行）
【考案の開示】
【考案が解決しようとする課題】
【０００４】
しかしながら、上記非特許文献−１に開示されているようなデジタル台はかりは、荷重台に重量物を乗降させる際に、荷重台に不均一に荷重がかかりやすく、ロードセルの故障や破損が起こることが多かった。特に、硬い容器に充填された重量物、例えば２０Ｌ缶やドラム缶などの場合は通常１０〜２５０ｋｇ程度の荷重があるが、一時的にでも荷重台に斜めに荷重がかかったり、衝撃がかかることがあるため、ロードセルへの負荷には大きなものがあり、ロードセルの故障や破損の問題があった。
本考案の目的は、このような課題を解決するものであり、重量物の重量を計測する場合において、重量物の乗降時にはロードセルへの連結をはずし、計測時にはロードセルへの連結が簡単に行えるため、ロードセルへの負荷が少なく、耐久性に優れたデジタル台はかりを提供することにある。
【課題を解決するための手段】
【０００５】
本考案の請求項１に記載のデジタル台はかりは、測定対象物が置かれる荷重台と、荷重台からの荷重を懸架フックを介して伝達されるロードセルと、測定対象物を荷重台に乗降させる場合にはロードセルへの荷重の伝達を遮断し、計量時にはロードセルへの荷重の伝達をすることができるロック式レバーと、ロードセルからの荷重を表示できるデジタル表示計を備えていることを特徴とする。
請求項２に記載のデジタル台はかりは、荷重の計測値の表示機能として、デジタル表示計のみではなく、さらにサオおよび重り台のついたデジタル台はかりであって、所謂、サオ秤の機能をも有する構成であることを特徴とするデジタル台はかりである。
【０００６】
請求項３に記載のデジタル台はかりは、サオおよび重り台によって計量する構成の看貫に、ロードセルおよびデジタル表示計を設けることにより改造して得られることを特徴とするデジタル台はかりである。
【考案の効果】
【０００７】
本考案のデジタル台はかりは、
（１）：重量物の重量を計測する場合において、重量物の乗降時にはロードセルへの連結を外すことができるので、荷重台への斜めの荷重や衝撃があったとしても、ロードセルには負荷がかからず、ロードセルへの負荷が少なく、デジタル台はかりの耐久性に優れている。
（２）：重量の読み取り時には、ロック式レバーをロックすることによりロードセルへの連結が簡単に行えるため、容易にデジタル表示値を読みとることができる。
（３）：サオおよび重り台を設けた構成の場合は、デジタル表示計だけでなく、サオと重りによる重量表示もできるので、二重チエッックができ、目視ミスの防止につながる。
また、デジタル表示計にさらにプリンターが連結されていると測定値の印字も可能であり、三重チエックができ、さらに測定値の記録保存も可能である。
（４）：上記の（３）のデジタル台はかりは、従来から一般的に使用されているサオおよび重り台によって計量する構成の看貫に、ロードセルおよびデジタル表示計を設けることにより比較的容易に改造することができる。
【考案を実施するための最良の形態】
【０００８】
以下において、本考案の一実施の形態を、図１〜図２を用いて具体的に説明する。
【０００９】
図１は、重量物の乗降時の状態を示す斜視図であり、１は荷重台、２は荷重台からロードセルへの懸架フック、３は荷重台からロードセルへの連結部、４はロードセル、５はロードセルからサオへの懸架フック、６はレバーの支点、７はレバー、８はレバーロック、９はサオ、１０は重り台、１１はデジタル表示計、１２はデジタル表示計の電源である。
図１は重量物の乗降時であるのでレバー７はレバーロック８を外した状態であり、
荷重台からロードセルへの連結部３は外れており、荷重台１にかかる荷重はロードセル３には伝達されていない。従って、重量物が斜めになって荷重が地面と荷重台の両方にかかっていたとしても、また、その状態から重量物が荷重台に押し上げられたとしても、また、荷重台に衝撃がかかったとしても、その間にロードセルに荷重がかかることはないので、ロードセルが破損することがない。
【００１０】
図２は、重量物の重量計測時のデジタル台はかりの状態を示す斜視図であり、重量測定対象物１３が荷重台に置かれており、レバー７はレバーロック８によってロックされており、荷重台からロードセルへの連結部３は連結されて電気信号によりデジタル表示計に測定値が表示され、一方で、サオ９に伝達された荷重は重り台１０に重りを乗せることとサオのスライド重りでバランスをとることによりマニュアルで荷重を知ることができる。
このように、デジタル表示とサオ秤表示の両方で重量を確認できることは二人の作業者による二重チエック、または一人の作業者による測定値の再確認が可能になり、計量値のミスの防止ができる。
また、デジタル表示計にさらにプリンターが連結されていると測定値の印字も可能であり、三重チエックができ、さらに測定値の記録保存も可能である。
【００１１】
なお、図１に例示したデジタル台はかりは、従来から一般的に使用されているサオおよび重り台によって計量する構成の看貫の円筒状の柱の内部にロードセルを設け、サオの支持部分にデジタル表示計を設けることなどにより比較的容易に、かつ安価に改造して得ることもできる。
【図面の簡単な説明】
【００１２】
【図１】本考案の一実施の形態におけるデジタル台はかりの重量物の乗降時の状態を示す斜視図である。
【図２】重量物の重量計測時のデジタル台はかりの状態を示す斜視図である。
【符号の説明】
【００１３】
１    荷重台
２    荷重台からロードセルへの懸架フック
３    荷重台からロードセルへの連結部
４    ロードセル
５    ロードセルからサオへの懸架フック
６    レバーの支点
７    レバー
８    レバーロック
９    サオ
１０  重り台
１１  デジタル表示計
１２  電源
１３  荷重測定対象物
【図１】
0003131497.tif 000003
【図２】
0003131497.tif 000004